(57)【要約】【課題】メリヤス針を整列した状態で保持することができ、しかもメリヤス針を保持した状態であっても目視検査を実行することができるメリヤス針保持具を提供する。【解決手段】複数のメリヤス針３０を整列させて保持するためのメリヤス針保持具Ａであって、メリヤス針３０の後端部３５を保持するクリップ部材１０を備え、前記クリップ部材１０は、互いに対向する一対の壁部１１と、前記一対の壁部１１を接続する連結部１６と、を備え、前記一対の壁部１１の間には、メリヤス針３０の後端部３５を押し込み可能な保持溝１７が形成されており、前記保持溝１７は、前記保持溝１７の長手方向に重ね合わせた複数のメリヤス針３０を保持可能とした。【選択図】図８
2019218100.tif 000002
【特許請求の範囲】
【請求項１】
複数のメリヤス針を整列させて保持するためのメリヤス針保持具であって、
メリヤス針の後端部を保持するクリップ部材を備え、
前記クリップ部材は、互いに対向する一対の壁部と、前記一対の壁部を接続する連結部と、を備え、
前記一対の壁部の間には、メリヤス針の後端部を押し込み可能な保持溝が形成されており、
前記保持溝は、前記保持溝の長手方向に重ね合わせた複数のメリヤス針を保持可能であることを特徴とする、メリヤス針保持具。
【請求項２】
前記一対の壁部は、前記保持溝の開口方向に行くに従って次第に接近するように形成されていることを特徴とする、請求項１記載のメリヤス針保持具。
【請求項３】
前記保持溝の幅を決定する前記連結部の内側幅は、前記保持溝に押し込まれるメリヤス針の後端部の幅よりも小さく形成されていることを特徴とする、請求項１または２記載のメリヤス針保持具。
【請求項４】
前記一対の壁部の先端部に、厚肉部が形成されていることを特徴とする、請求項１〜３のいずれか１項に記載のメリヤス針保持具。
【請求項５】
前記一対の壁部と前記連結部とが接続される角部に、厚肉部が形成されていることを特徴とする、請求項１〜４のいずれか１項に記載のメリヤス針保持具。
【請求項６】
メリヤス針と一緒に前記クリップ部材に保持されてメリヤス針の背面および針先部を覆う帯状の防錆材を備え、
前記防錆材は、折り曲げ線に沿って折り曲げまたは展開することでメリヤス針の針先部を露出可能に形成されていることを特徴とする、請求項１〜５のいずれか１項に記載のメリヤス針保持具。
【発明の詳細な説明】
【技術分野】
【０００１】
この発明は、所定の数のメリヤス針をまとめて包装する場合などに使用するメリヤス針保持具に関する。
【背景技術】
【０００２】
市販されているメリヤス針は、例えば、所定の本数ごとに防錆性能を有した袋に入れられてパッケージングされている。このように袋に入っているメリヤス針を取り出そうとすると、袋からばらばらに針が出てくることになる。このため、編機に取り付ける前の目視検査を行ったり、編機に取り付けたりする作業を行う前に、取り出したメリヤス針の向きや高さを揃える作業が必要となっていた。また、メリヤス針を揃えるときの取り扱いが乱暴であると、メリヤス針が曲がってしまうという問題があった。
【０００３】
なお、特許文献１には、複数本のメリヤス針を整列した状態で保持する針保持装置が開示されている。この特許文献１記載の針保持装置は、フラットな板状の針支持体区分と、針支持体区分に対向位置して配置された板状の緊締リップとを有し、針支持体区分と緊締リップとが、ばね区分を介して結合されており、ばね区分が、緊締リップを針支持体区分に対して予負荷しており、緊締リップが、針の先端部を針支持体区分に対して押さえつけることで、針を針支持体区分に対して緊締するようになっている。このような針保持装置を使用すれば、メリヤス針を整列した状態で袋に入れることができる。そして、メリヤス針を袋から取り出すときには、予め揃った状態でメリヤス針を袋から取り出すことができる。
【先行技術文献】
【特許文献】
【０００４】
【特許文献１】特許第４８２９２０３号公報
【発明の概要】
【発明が解決しようとする課題】
【０００５】
しかし、上記した特許文献１記載の構成は、緊締リップが針の先端部を上方から緊締して保持する構成であるため、針保持装置がメリヤス針を保持した状態では針の先端部の視認性が悪いという問題があった。このため、編機に取り付ける前に針先部の目視検査を行う場合に、メリヤス針を針保持装置から取り外さなければならず、作業が煩雑となるという問題があった。
【０００６】
更には、上記した特許文献１記載の構成は、ばね区分が、緊締リップを針支持体区分に対して予負荷する構成であるため、ばね区分をメリヤス針よりも高く膨らんで設けなければならず、厚みが増すという問題があった。
【０００７】
そこで、本発明は、メリヤス針を整列した状態で保持することができ、しかもメリヤス針を保持した状態であっても針先の目視検査を実行することができるメリヤス針保持具を提供することを課題とする。
【課題を解決するための手段】
【０００８】
本発明は、上記した課題を解決するためになされたものであり、複数のメリヤス針を整列させて保持するためのメリヤス針保持具であって、メリヤス針の後端部を保持するクリップ部材を備え、前記クリップ部材は、互いに対向する一対の壁部と、前記一対の壁部を接続する連結部と、を備え、前記一対の壁部の間には、メリヤス針の後端部を押し込み可能な保持溝が形成されており、前記保持溝は、前記保持溝の長手方向に重ね合わせた複数のメリヤス針を保持可能であることを特徴とする。
【発明の効果】
【０００９】
本発明は上記の通りであり、一対の壁部の間に形成された保持溝にメリヤス針を後端部から押し込むことで、保持溝の長手方向に重ね合わせた複数のメリヤス針を保持可能である。このような構成によれば、メリヤス針を整列した状態で保持することができるので、取り扱いやすく、見栄えの良い商品を提供することができる。例えば、メリヤス針をメリヤス針保持具で整列保持した状態で、袋に入れて包装することも可能である。このようにメリヤス針保持具を使用すれば、メリヤス針を袋から取り出すときに予め揃った状態でメリヤス針を取り出すことができる。
【００１０】
また、メリヤス針の後端部側を保持するため、針先部の視認性が損なわれない。よって、メリヤス針保持具にメリヤス針を取り付けたままで針先部の目視検査を実行することができる。
【００１１】
また、メリヤス針を保持溝の長手方向に重ね合わせて保持するので、保持溝の長さの範囲であれば、任意の本数のメリヤス針を保持することができる。そして、メリヤス針保持具から任意の数のメリヤス針だけを取り外して使用することもできるし、一度取り外したメリヤス針を再びメリヤス針保持具に保持させることもできる。
【００１２】
また、クリップ部材は、互いに対向する一対の壁部と一対の壁部を接続する連結部とを備えた構成である。よって、略コ字形または略Ｕ字形のクリップ部材によって、最小限の厚みでメリヤス針を保持することができる。
【００１３】
なお、一対の壁部は、保持溝の開口方向に行くに従って次第に接近するように形成してもよい。このような構成によれば、メリヤス針を挿入したときに壁部が大きく押し広げられるので、壁部の弾発力が大きくなり、クリップ部材の保持性能が向上する。
【００１４】
また、保持溝の幅を決定する連結部の内側幅は、保持溝に押し込まれるメリヤス針の後端部の幅よりも小さく形成されていてもよい。このような構成によれば、メリヤス針を挿入したときに壁部が大きく押し広げられるので、壁部の弾発力が大きくなり、クリップ部材の保持性能が向上する。
【００１５】
また、一対の壁部の先端部に、厚肉部が形成されていてもよい。このように構成すれば、メリヤス針と接触する先端部が撓みにくいので、メリヤス針をしっかりと保持することができる。一方、先端部以外は撓みやすく形成できるので、メリヤス針を挿入したときに壁部を適度に撓ませることができる。
【００１６】
また、一対の壁部と連結部とが接続される角部に、厚肉部が形成されていてもよい。このように構成すれば、壁部の撓みやすさを確保しつつも、応力集中が生じやすい角部を保護することができる。すなわち、メリヤス針を挿入したときに、角部においてクリップ部材が破損することを防止しつつ、壁部を適度に撓ませることができる。
【００１７】
また、メリヤス針と一緒にクリップ部材に保持されてメリヤス針の背面および針先部を覆う帯状の防錆材を設け、防錆材は、折り曲げ線に沿って折り曲げまたは展開することでメリヤス針の針先部を露出可能に形成してもよい。このような防錆材を備えた場合、運搬中などは防錆材によってメリヤス針を保護することができる。また、使用時には、防錆材を折り曲げる（または展開する）ことでメリヤス針保持具に取り付けたままでメリヤス針の針先部を露出させることができるので、メリヤス針を整列させた状態で目視検査を実行することができる。
【図面の簡単な説明】
【００１８】
【図１】（ａ）メリヤス針保持具の斜視図、（ｂ）メリヤス針保持具の正面図である。
【図２】（ａ）メリヤス針の斜視図、（ｂ）メリヤス針の正面図である。
【図３】メリヤス針を保持したメリヤス針保持具の斜視図である。
【図４】（ａ）メリヤス針を保持したメリヤス針保持具の側面図、（ｂ）（ａ）の一部拡大側面図である。
【図５】変形例１に係る図であって、（ａ）メリヤス針保持具の斜視図、（ｂ）メリヤス針保持具の正面図である。
【図６】変形例１に係る図であって、（ａ）メリヤス針を保持したメリヤス針保持具の側面図、（ｂ）（ａ）の一部拡大側面図である。
【図７】変形例２に係る図であって、メリヤス針を保持したメリヤス針保持具の斜視図である。
【図８】変形例２に係る図であって、メリヤス針を保持したメリヤス針保持具の斜視図（防錆材を折り曲げた状態）である。
【図９】変形例２に係る図であって、（ａ）防錆材でメリヤス針を保護した状態のメリヤス針保持具の側面図、（ｂ）防錆材を折り曲げた状態のメリヤス針保持具の側面図である。
【発明を実施するための形態】
【００１９】
本発明の実施形態について、図を参照しながら説明する。
本実施形態に係るメリヤス針保持具Ａは、複数のメリヤス針３０を整列させて保持するためものである。
【００２０】
このメリヤス針保持具Ａによって保持されるメリヤス針３０は、例えば図２に示すような針である。図２に示すメリヤス針３０は、周知の形状と同様に構成されている。
【００２１】
すなわち、メリヤス針３０の針先部３１には、鉤状に形成されたフック３２と、フック３２の開口部を開閉するために揺動可能に設けられたベラ３３と、が設けられている。
【００２２】
また、針先部３１の反対側には、側面視砲弾形状で突出する後端部３５が設けられている。この後端部３５の両側面は、後述するクリップ部材１０によって挟み込み可能となるように互いに平行に形成されている。なお、この後端部３５は、クリップ部材１０によって挟み込み可能な両側面を有していればよく、砲弾形状に限らず、他の形状であってもよい。
【００２３】
また、メリヤス針３０の中間部には、少なくとも１つのバット３７が設けられている。このバット３７は、メリヤス針３０を編機に取り付けたときに、編機のカム溝に係合するように側方に突出して形成された部位である。
【００２４】
なお、メリヤス針３０は金属板を打ち抜いて形成されており、薄い板状である。このため、図３等に示すように、複数のメリヤス針３０は、厚み方向に重ね合わせることが可能である。本実施形態においては、メリヤス針３０を所定の本数ずつ厚み方向に重ね合わせてブロックを形成し、このブロックを後述するクリップ部材１０によってまとめるようにしている。
【００２５】
ここで、上記したメリヤス針保持具Ａは、図１に示すように、メリヤス針３０の後端部３５を保持するクリップ部材１０を備える。このクリップ部材１０は、弾性および耐油性を有する材料で形成されており、例えば、ポリプロピレン、ナイロン、ポリエチレンなどの樹脂によって形成されている。このクリップ部材１０は、互いに対向する一対の壁部１１と、一対の壁部１１を接続する連結部１６と、を備えて構成される。この一対の壁部１１と連結部１６とは、略コ字形または略Ｕ字形に接続されている。
【００２６】
一対の壁部１１は、図１に示すように、互いに対向する平坦な内側面を備えている。また、連結部１６は、これら一対の壁部１１の内側面を接続する平坦な内側面を備えている。そして、これら一対の壁部１１および連結部１６の内側面によって、一対の壁部１１の間に略コ字形の保持溝１７が形成されている。この保持溝１７は、図３および図４に示すように、メリヤス針３０の後端部３５を押し込み可能に形成されており、保持溝１７の長手方向に重ね合わせた複数のメリヤス針３０を保持可能となっている。
【００２７】
なお、本実施形態に係る一対の壁部１１は、メリヤス針３０を保持する前の状態において、保持溝１７の開口方向に行くに従って次第に接近するように傾斜して形成されている（図１（ｂ）参照）。このように形成することで、一対の壁部１１を押し広げたときに強い弾発力が働くようになっている。ただし、一対の壁部１１は、必ずしも保持溝１７の開口方向に行くに従って次第に接近するように形成されていなくてもよい。例えば、一対の壁部１１が互いに平行となるように形成してもよい。
【００２８】
また、本実施形態に係る一対の壁部１１の先端部１２は、内側角部１２ｂに大きなＲ形状が設けられている。例えば、外側角部１２ａ（保持溝１７とは反対側の先端縁の角）よりも大きなＲ形状が内側角部１２ｂ（保持溝１７側の先端縁の角）に設けられている。このように壁部１１の先端部１２の内側角部１２ｂにＲ形状を設けることで、保持溝１７にメリヤス針３０の後端部３５を押し込むときに、メリヤス針３０の後端部３５がＲ形状によって保持溝１７へと誘導されるようになっている。このようなＲ形状を設けることで、保持溝１７へメリヤス針３０を挿入する操作が容易となっている。
【００２９】
また、本実施形態においては、図４（ｂ）に示すように、保持溝１７の幅を決定する連結部１６の内側幅Ｗ２は、保持溝１７に押し込まれるメリヤス針３０の後端部３５の幅よりも小さく形成されている。言い換えると、保持溝１７にメリヤス針３０の後端部３５を押し込んだときに、一対の壁部１１は、保持溝１７の開口方向に行くに従って次第に拡開した状態となるように形成されている。このため、メリヤス針３０を保持溝１７に挿入したときに、一対の壁部１１が大きく押し広げられることで大きな弾発力が発生し、メリヤス針３０の保持性能が十分に発揮されるようになっている。
【００３０】
なお、本実施形態においては、メリヤス針３０の保持性能を向上させるために、連結部１６の内側幅Ｗ２をメリヤス針３０の後端部３５の幅よりも小さく設定している。しかしながら、これに限らず、連結部１６の内側幅Ｗ２が、メリヤス針３０の後端部３５の幅と等しいか、または、メリヤス針３０の後端部３５の幅よりも大きくてもよい。
【００３１】
上記したように、本実施形態によれば、一対の壁部１１の間に形成された保持溝１７にメリヤス針３０の後端部３５を押し込むことで、保持溝１７の長手方向に重ね合わせた複数のメリヤス針３０を保持可能である。このような構成によれば、メリヤス針３０を整列した状態で保持することができるので、取り扱いやすく、見栄えの良い商品を提供することができる。例えば、メリヤス針３０をメリヤス針保持具Ａで整列保持した状態で、袋に入れて包装することも可能である。このようにメリヤス針保持具Ａを使用すれば、メリヤス針３０を袋から取り出すときに予め揃った状態でメリヤス針３０を取り出すことができる。
【００３２】
また、メリヤス針３０の後端部３５側を保持しているため、メリヤス針３０を整列して保持した状態であっても、針先部３１の視認性が損なわれない。よって、メリヤス針３０をメリヤス針保持具Ａに取り付けたままで針先部３１の目視検査を実行することができる。
【００３３】
また、メリヤス針３０を保持溝１７の長手方向に重ね合わせて保持するので、保持溝１７の長さの範囲であれば、任意の本数のメリヤス針３０を保持することができる。そして、メリヤス針保持具Ａから任意の数のメリヤス針３０だけを取り外して使用することもできるし、一度取り外したメリヤス針３０を再びメリヤス針保持具Ａに保持させることもできる。
【００３４】
また、クリップ部材１０は、互いに対向する一対の壁部１１と一対の壁部１１を接続する連結部１６とからなる。よって、略コ字形または略Ｕ字形のクリップ部材１０によって、最小限の厚みでメリヤス針３０を保持することができる。コンパクトなクリップ部材１０でメリヤス針３０を保持できるので、袋に入れた場合でも凹凸ができにくい。また、メリヤス針３０を袋から取り出すときに、クリップ部材１０が引っかかってメリヤス針３０がクリップ部材１０から外れてしまうといった問題が起きる可能性も低い。
【００３５】
また、一対の壁部１１は、保持溝１７の開口方向に行くに従って次第に接近するように形成されている。このような構成によれば、メリヤス針３０を挿入したときに壁部１１が大きく押し広げられるので、壁部１１の弾発力が大きくなり、クリップ部材１０の保持性能が向上する。
【００３６】
また、保持溝１７の幅を決定する連結部１６の内側幅Ｗ２は、保持溝１７に押し込まれるメリヤス針３０の後端部３５の幅Ｗ１よりも小さく形成されている。このような構成によれば、メリヤス針３０を挿入したときに壁部１１が大きく押し広げられるので、壁部１１の弾発力が大きくなり、クリップ部材１０の保持性能が向上する。
【００３７】
（変形例１）
上記したクリップ部材１０に代えて、図５および図６に示すようなクリップ部材１０を使用してもよい。
【００３８】
この変形例に係るクリップ部材１０においては、図５に示すように、一対の壁部１１の先端部１２と、一対の壁部１１と連結部１６とが接続される角部とに、リブ状の厚肉部が設けられている。この厚肉部は、クリップ部材１０の長手方向全長に渡って形成されており、外側に突出している。すなわち、この厚肉部は、保持溝１７を形成する面とは反対側の面に突出しており、保持溝１７の内側には突出していない。
【００３９】
この厚肉部が設けられることで、一対の壁部１１は、先端部１２が中間部１３よりも厚肉で形成されている。また、一対の壁部１１は、連結部１６と接続される基端部１４が中間部１３よりも厚肉で形成されている。これにより、薄肉の中間部１３が撓みやすくなっており、反対に、先端部１２と基端部１４が撓みにくくなっている。
このような構成によれば、すでに説明した図１〜４に示す実施形態に係るメリヤス針保持具Ａが奏する効果に加え、以下のような効果を得ることができる。
【００４０】
すなわち、メリヤス針３０と接触して挟み込む先端部１２が撓みにくいので、一対の壁部１１でメリヤス針３０をしっかりと保持することができる。一方、中間部１３が撓みやすいので、メリヤス針３０を挿入して壁部１１が押し広げられると、中間部１３が弾性変形して適度な拘束力を得ることができる。
【００４１】
また、角部（基端部１４）が撓みにくいので、応力集中が生じやすい角部（基端部１４）を保護することができる。すなわち、メリヤス針３０を挿入したときに、基端部１４においてクリップ部材１０が破損することを防止しつつ、中間部１３を撓ませることができる。
なお、厚肉部の範囲を大きくしすぎると壁部１１が十分に撓むことができなくなるため、厚肉部は壁部１１の１／２以下とすることが望ましい。
【００４２】
（変形例２）
図１〜４または図５〜６で説明したクリップ部材１０に加え、図７〜９に示すような防錆材２０を備えていてもよい。
【００４３】
この防錆材２０は、図７および図９（ａ）に示すように、メリヤス針３０と一緒に前記クリップ部材１０に保持されてメリヤス針３０の背面および針先部３１を覆う帯状の部材である。防錆材２０は折り曲げ可能な材料で形成されており、例えば、紙、木、樹脂などで形成することができる。
【００４４】
この防錆材２０は、折り曲げ線２１によって複数の区画に分割されており、複数の区画が長手方向に連続するように配置されている。本実施形態に係る防錆材２０は、複数の区画として、第１背面部２２と、第２背面部２３と、上面部２４と、前面部２５と、を備える。
【００４５】
第１背面部２２と第２背面部２３は、メリヤス針３０の背面を保護するためのものであり、一直線に並べたときにメリヤス針３０とほぼ同じ長さとなっている。第１背面部２２の端部がクリップ部材１０に保持されることで、防錆材２０がクリップ部材１０に固定されるようになっている。具体的には、第１背面部２２の端部は、クリップ部材１０の一方の壁部１１とメリヤス針３０の後端部３５との間に挟み込まれて保持される。
【００４６】
上面部２４は、メリヤス針３０の先端を保護するためのものであり、第２背面部２３に連続して設けられている。この上面部２４は、メリヤス針３０の厚みとほぼ同じ長さとなっている。
【００４７】
前面部２５は、メリヤス針３０の針先部３１の前面（フック３２が開口している面）を保護するためのものであり、上面部２４に連続して設けられている。この前面部２５は、少なくともメリヤス針３０の針先部３１の長さよりも長く形成されている。
【００４８】
防錆材２０でメリヤス針３０を保護した状態では、図７および図９（ａ）に示すように、第１背面部２２と第２背面部２３とが一直線に配置されており、これによりメリヤス針３０の背面が保護されている。また、第２背面部２３と上面部２４と前面部２５とがコ字形に折り曲げられて配置されており、これによりメリヤス針３０の針先部３１が保護されている。
【００４９】
クリップ部材１０によってメリヤス針３０を整列保持した状態でメリヤス針３０の針先部３１を露出させたい場合には、図８および図９（ｂ）に示すように、第１背面部２２と第２背面部２３との間の折り曲げ線２１に沿って、防錆材２０を折り曲げればよい。これにより、メリヤス針３０の針先部３１を露出させることができる。
【００５０】
なお、針先部３１の前面のみを露出させたい場合には、前面部２５と上面部２４との間の折り曲げ線２１に沿って防錆材２０を展開したり、上面部２４と第２背面部２３との間の折り曲げ線２１に沿って防錆材２０を展開したりしてもよい。このような操作によっても、メリヤス針３０の針先部３１を露出させることができる。
【００５１】
このような防錆材２０を使用すれば、すでに説明した図１〜４または図５〜６で説明したクリップ部材１０が奏する効果に加え、以下のような効果を得ることができる。
【００５２】
すなわち、運搬中などの非使用時は、防錆材２０で覆うことによってメリヤス針３０（特に針先部３１に設けられたフック３２やベラ３３）を保護することができる。また、メリヤス針３０の使用時には、防錆材２０を折り曲げる（または展開する）ことでメリヤス針保持具Ａに取り付けたままでメリヤス針３０の針先部３１を露出させることができる。よって、メリヤス針３０を整列保持した状態で、針先部３１の目視検査を実行することができる。
【符号の説明】
【００５３】
Ａ  メリヤス針保持具
１０  クリップ部材
１１  壁部
１２  先端部
１２ａ  外側角部
１２ｂ  内側角部
１３  中間部
１４  基端部
１６  連結部
１７  保持溝
２０  防錆材
２１  折り曲げ線
２２  第１背面部
２３  第２背面部
２４  上面部
２５  前面部
３０  メリヤス針
３１  針先部
３２  フック
３３  ベラ
３５  後端部
３７  バット
Ｗ１  メリヤス針の後端の幅
Ｗ２  連結部の内側幅
【図１】
2019218100.tif 000003
【図２】
2019218100.tif 000004
【図３】
2019218100.tif 000005
【図４】
2019218100.tif 000006
【図５】
2019218100.tif 000007
【図６】
2019218100.tif 000008
【図７】
2019218100.tif 000009
【図８】
2019218100.tif 000010
【図９】
2019218100.tif 000011